(57)【要約】      （修正有）【課題】学校の教室やカラオケ等において、マイクを使用し、話したり歌う時に、唾液の飛沫がマイクを通り過ぎて飛散しないようにするマイクカバーを提供する。【解決手段】透明樹脂製半球型カバー１とそれをマイク１０に回動可能に固定する器具２〜７を一体化した飛沫防止用マイクカバーである。マイクとの取り付けには面ファスナー８を使用し、付け外しを容易にする。マイクなしでも飛沫防止用パーソナルカバーとして使用できる。【選択図】図１
0003230023.tif 000002
【実用新案登録請求の範囲】
【請求項１】
学校の教室やカラオケ等において、マイクを使用し、話したり歌う時に、唾液の飛沫がマイクを通り過ぎて飛散しないようにする透明樹脂製半球型カバーとそれをマイクなどに固定する器具を一体化した飛沫防止用マイクカバー（パーソナルカバー）
【請求項２】
前記マイクカバーの素材は、アクリル、スチロール等の透明樹脂であり、飛沫を受け止められるよう半球型としている。マイクなどに固定する器具は樹脂製で、マイクやマイクスタンドなどへの固定と取り外しが容易にできる請求項１記載の飛沫防止用のマイクカバー（パーソナルカバー）
【請求項３】
マイクなしでも固定する器具を手に持つことで、パーソナル飛沫防止用カバーとして使用することができる請求項１記載の飛沫防止用のマイクカバー（パーソナルカバー）
【請求項４】
マイクと、マイクなどに固定する器具は、マジックテープで固定され、取り外しも容易にできる。マイクなどに固定する器具の上部に透明樹脂製半球形カバーの下部を挟み込む形（一部ゴム板）で固定と取り外すことができる請求項１記載の飛沫防止用のマイクカバー（パーソナルカバー）
【請求項５】
カバーに透明樹脂製を使用することで教室の生徒やカラオケに一緒に行った人が、教師や、歌う人の表情を見ることができる請求項１記載の飛沫防止用のマイクカバー（パーソナルカバー）
【請求項６】
マイクから容易に取り外しができ、カバー部とマイク取り付け部（マイクなどに固定する器具）も分解できるので、使用後の消毒もしやすい請求項１記載の飛沫防止用のマイクカバー（パーソナルカバー）
【請求項７】
カバー部とマイク取り付け部はビスを緩めることで角度を変更できるのでマイクの角度や自分の飛沫を飛ばしたくない方向に調整できる請求項１記載の飛沫防止用のマイクカバー（パーソナルカバー）
【考案の詳細な説明】
【技術分野】
【０００１】  本考案は、マイクなどに簡単に取り外しができる飛沫防止のための透明樹脂製半球型マイクカバー（パーソナルカバー）とマイク取り付け部に関するものである。
【背景技術】
【０００２】  学校の教室などで教師がマイクを使用して話す時や、カラオケなどでマイクを使用して歌う時に、飛沫が飛び、近くの人に飛散する恐れがあった。【０００３】  透明のビニールやアクリル板で飛沫を防止する方法があるが、それではマイクを使用する人の動く範囲を制限する。教師などは教壇の部分のみ透明ビニールで遮蔽しても幅が広い教室の黒板に書きながら生徒の方に説明する時に飛沫が飛ばないように教壇の位置に戻る必要があった。
【考案の概要】
【考案が解決しようとする課題】
【０００４】  学校の教室やカラオケ等において、マイクを使用し、話したり歌う時に、唾液の飛沫がマイクを通り過ぎて飛散していた。また、飛沫を飛ばさないよう透明のビニールやアクリル板の大きな面で仕切る必要があった。また、消毒する際、その大きな面をすべて消毒する必要があった。
【課題を解決するための手段】
【０００５】  本考案は学校の教室やカラオケ等において、マイクを使用し、話したり歌う時に唾液の飛沫がマイクを通り過ぎて飛散しないようにする透明樹脂製半球型カバーとそれをマイクなどに固定する器具を一体化した。また、マイクなしでも固定する器具を手に持つことで、パーソナル飛沫防止用カバーとして使用することができるのでマスクをしなくても相手に飛沫を飛ばさずに話すことができる。
【考案の効果】
【０００６】  本考案により飛沫が飛び散ることをパーソナルに防ぎ、衛生的に話したり歌うことができる。口元を覆うカバーに透明樹脂を使用することにより、使用している人の表情が見ることができる。また、全長３０ｃｍ以下のパーソナルな大きさで、分解も簡単にできるので、消毒するのも手間が少なくて済む。
【図面の簡単な説明】
【０００７】
【図１】本考案の飛沫防止用マイクカバー（パーソナルカバー）のマイクを使用した際の一実施例を示す側面図である。
【図２】本考案の飛沫防止用マイクカバー（パーソナルカバー）のマイク取り付け部の一実施例を示す側面図である。
【図３】本考案の飛沫防止用マイクカバー（パーソナルカバー）の一実施例を示す正面図である。
【図４】本考案の飛沫防止用マイクカバー（パーソナルカバー）のマイクなしで、樹脂管を使用した際の一実施例を示す側面図である。
【考案を実施するための形態】
【０００８】  マイクカバーの素材は、アクリル、スチロール等の透明樹脂であり、飛沫を受け止められるよう半球型をしている。マイクなどに固定する器具は樹脂製で、マイクやマイクスタンドなどへの固定と取り外しが容易にできるようマジックテープ（シール付）を使用している。また、マイクなしでも固定する器具を手に持つことで、パーソナル飛沫防止用カバーとして使用することができ、マイクの代わりに持ちやすいように樹脂管も付属している。
【実施例】
【０００９】  以下、添付図面に従って一実施例を説明する。１はスチロールやアクリル樹脂製の透明半球型カバー、２から７はマイク取り付け部であり、２のマイク固定部に８のマジックテープのフック面が貼ってある。２のマイク固定部の上部と３のカバー固定部（下部）は５の回転固定用ビスで固定される。３のカバー固定部（下部）上側と４のカバー固定部（上部）の下側には７のゴム板が付いており、１の透明樹脂製半球型カバーの下部を挟み込む６のカバー固定用ビス（２本）で固定される。【００１０】  １０のマイクを使用する際には付属するループ面の８のマジックテープを半分に切ってマイクに貼り、２のマイク固定部に貼ってあるフック面のマジックテープ部と貼り合わせて、使用する。【００１１】  マイクを使わないで使用する時は、２のマイク固定部を手で持ち、使用するか、９の樹脂管（付属）に残り半分のループ面の８のマジックテープを貼り、２のマイク固定部に貼ってあるフック面のマジックテープ部と貼り合わせて、使用する。
【符号の説明】
【００１２】  １  透明樹脂製半球型カバー
２  マイク固定部
３  カバー固定部（下部）
４  カバー固定部（上部）
５  回転固定用ビス
６  カバー固定用ビス（２本）
７  ゴム板  ２か所
８  マジックテープ（フック面とループ面、シール付）
９  樹脂管
１０  マイク
【図１】
0003230023.tif 000003
【図２】
0003230023.tif 000004
【図３】
0003230023.tif 000005
【図４】
0003230023.tif 000006
【手続補正書】
【提出日】令和2年10月2日(2020.10.2)
【手続補正１】
【補正対象書類名】実用新案登録請求の範囲
【補正対象項目名】請求項２
【補正方法】変更
【補正の内容】
【請求項２】
前記マイクカバーの素材は、スチロール等の透明樹脂であり、飛沫を受け止められるよう半球型としており、マイクなどに固定する器具は樹脂製で、マイクやマイクスタンドなどへの固定と取り外しが容易にできる請求項１記載の飛沫防止用のマイクカバー（パーソナルカバー）
【手続補正２】
【補正対象書類名】実用新案登録請求の範囲
【補正対象項目名】請求項４
【補正方法】変更
【補正の内容】
【請求項４】
マイクと、マイクなどに固定する器具は、面ファスナーで固定され、取り外しも容易にでき、マイクなどに固定する器具の上部に透明樹脂製半球形カバーの下部を挟み込む形で固定と取り外すことができる請求項１記載の飛沫防止用のマイクカバー（パーソナルカバー）
【手続補正３】
【補正対象書類名】明細書
【補正対象項目名】０００８
【補正方法】変更
【補正の内容】
【０００８】  マイクカバーの素材は、アクリル、スチロール等の透明樹脂であり、飛沫を受け止められるよう半球型をしている。マイクなどに固定する器具は樹脂製で、マイクやマイクスタンドなどへの固定と取り外しが容易にできるよう面ファスナー（シール付）を使用している。また、マイクなしでも固定する器具を手に持つことで、パーソナル飛沫防止用カバーとして使用することができ、マイクの代わりに持ちやすいように樹脂管も付属している。
【手続補正４】
【補正対象書類名】明細書
【補正対象項目名】０００９
【補正方法】変更
【補正の内容】
【０００９】  以下、添付図面に従って一実施例を説明する。１はスチロールやアクリル樹脂製の透明半球型カバー、２から７はマイク取り付け部であり、２のマイク固定部に８の面ファスナーのフック面が貼ってある。２のマイク固定部の上部と３のカバー固定部（下部）は５の回転固定用ビスで固定される。３のカバー固定部（下部）上側と４のカバー固定部（上部）の下側には７のゴム板が付いており、１の透明樹脂製半球型カバーの下部を挟み込む６のカバー固定用ビス（２本）で固定される。
【手続補正５】
【補正対象書類名】明細書
【補正対象項目名】００１０
【補正方法】変更
【補正の内容】
【００１０】  １０のマイクを使用する際には付属するループ面の８の面ファスナーを半分に切ってマイクに貼り、２のマイク固定部に貼ってあるフック面の面ファスナー部と貼り合わせて、使用する。
【手続補正６】
【補正対象書類名】明細書
【補正対象項目名】００１１
【補正方法】変更
【補正の内容】
【００１１】  マイクを使わないで使用する時は、２のマイク固定部を手で持ち、使用するか、９の樹脂管（付属）に残り半分のループ面の８の面ファスナーを貼り、２のマイク固定部に貼ってあるフック面の面ファスナー部と貼り合わせて、使用する。
【手続補正７】
【補正対象書類名】明細書
【補正対象項目名】００１２
【補正方法】変更
【補正の内容】
【００１２】  １  透明樹脂製半球型カバー
２  マイク固定部
３  カバー固定部（下部）
４  カバー固定部（上部）
５  回転固定用ビス
６  カバー固定用ビス（２本）
７  ゴム板  ２か所
８  面ファスナー（フック面とループ面、シール付）
９  樹脂管
１０  マイク